(57)【要約】【課題】冷却対象がなす曲面に沿って全体として自由に湾曲させ、冷却対象に広く接触させることができるとともに、冷却対象との接触が線接触または点接触となってしまい、冷却効果が阻害されたり、冷却対象が人体の場合、使用者が痛く感じることがない保冷具を提供する。【解決手段】複数の保冷剤容器６を柔軟性を有するシート状材１３からなる連結材１２により連結し、保冷剤容器６を互いに対して一定範囲内においてあらゆる方向に回動可能とする。各保冷剤容器６内に保冷剤３を収容する。保冷剤容器６の主要部７は、横断面が屈曲部８ａ〜８ｄを有する形状とし、かつ冷却対象に直接または間接的に接触される冷却対象接触壁面９ａ，９ａを平面状または曲率の小さい曲面状とする。【選択図】図１４
2015009107.tif 000002
【特許請求の範囲】
【請求項１】
複数の保冷剤容器と、
前記保冷剤容器の内部に収容された保冷剤と、
前記複数の保冷剤容器を互いに対して一定範囲内においてあらゆる方向に回動可能なように連結している、柔軟性を有するシート状材からなる連結材とを有してなり、
前記保冷剤容器の主要部は、横断面が屈曲部を有する形状に成形されており、かつ該主要部の外壁面のうちの冷却対象に直接または間接的に接触されることとなる冷却対象接触壁面平面状または曲率の小さい曲面状とされている保冷具。
【請求項２】
前記連結材は、複数のポケット部を有しており、これらのポケット部に前記保冷剤容器がそれぞれ収容されるようになっている請求項１記載の保冷具。
【請求項３】
前記保冷剤容器の主要部は、大略直方体の箱状とされている請求項１または２記載の保冷具。
【発明の詳細な説明】
【技術分野】
【０００１】
本発明は、冷凍庫等において冷却された上、人体やその他の生体、物体等を冷却するために用いられる保冷具（蓄冷具）に関する。
【背景技術】
【０００２】
図１は、従来のこの種の保冷具の１つのタイプを示している。このタイプの保冷具１は、柔軟な材質の袋状体２内に保冷剤３が収容されているものであって、かつ袋状体２が複数の区画に分割されていないものである（例えば、特許文献１および２にこのタイプの保冷具が開示されている）。
【０００３】
図２は、従来のこの種の保冷具１のもう一つのタイプを示している。このタイプの保冷具１は、柔軟な材質の袋状体２内に保冷剤３が収容されていることは前記最初のタイプのものと同じであるが、１つの袋状体２が複数の区画４に分割されており、分割された区画４毎に保冷剤３が収容されているものである（例えば、特許文献３にこのタイプの保冷具が開示されている）。
【先行技術文献】
【特許文献】
【０００４】
【特許文献１】特開平９−５９６０７号公報
【特許文献２】実公昭５８−３５２３７号公報
【特許文献３】実開平１−１６７５７６号公報
【発明の概要】
【発明が解決しようとする課題】
【０００５】
前記第一番目のタイプの保冷具１は、曲面をなす人体等の冷却対象の表面に保冷具１をなるべく広く接触させるべく、図１の一点鎖線で示されるように、保冷具１を湾曲させようとしても、次の理由によりそれは不可能であるという問題があった。
【０００６】
（ａ）保冷剤３として凍結性のものを使用しており、かつ保冷剤３が完全に凍結している場合は保冷剤３が硬くて湾曲できない、
（ｂ）保冷剤３そのものは湾曲可能であっても（保冷剤３が融解しかけている場合や、保冷剤３として非凍結性のものを使用している場合）、保冷具１を湾曲させようとすると、袋状体２の凸となる側の面に張力Ｔが作用することになるので、変形抵抗が極めて大きく、湾曲できない。
【０００７】
前記第二番目のタイプの保冷具１は、保冷具１の分割された各区画４間の連結部５において各区画４を互いに対して回動できるので、保冷具１を全体として湾曲させることが可能であるが、保冷剤３を充填された各区画４が曲率の大きい円柱面（各区画４が細長い長方形をなす場合）または球状面（各区画４が正方形をなす場合）をなしてしまい、冷却対象と線接触または点接触することになるので、伝熱面積が小さくなり、冷却効果が阻害されるとともに、冷却対象が人体の場合、使用者は痛く感じるという問題があった。
【０００８】
本発明は、このような従来の事情に鑑みてなされたもので、本発明の目的の一つは、冷却対象がなす曲面に沿って全体として自由に湾曲させ、冷却対象に広く接触させることができる保冷具を提供することにある。
【０００９】
本発明の他の目的は、冷却対象との接触が線接触または点接触となってしまい、冷却効果が阻害されたり、冷却対象が人体の場合、使用者が痛く感じることがない保冷具を提供することにある。
【００１０】
本発明のさらに他の目的は、以下の説明から明らかになろう。
【課題を解決するための手段】
【００１１】
本発明による保冷具は、
複数の保冷剤容器と、
前記保冷剤容器の内部に収容された保冷剤と、
前記複数の保冷剤容器を互いに対して一定範囲内においてあらゆる方向に回動可能なように連結している、柔軟性を有するシート状材からなる連結材とを有してなり、
前記保冷剤容器の主要部は、横断面が屈曲部を有する形状に成形されており、かつ該主要部の外壁面のうちの冷却対象に直接または間接的に接触されることとなる冷却対象接触壁面は平面状または曲率の小さい曲面状とされているものである。
【００１２】
なお、本発明において、「曲率の小さい」とは、冷却対象に接触されたとき、著しく伝熱面積が小さくなり、それにより冷却効果が阻害されたり、人体に接触されたとき、使用者が痛く感じたりしないだけ、曲率が小さいことを意味する。
【００１３】
本発明の保冷具においては、各保冷剤容器が互いに対して一定範囲内においてあらゆる方向に回動可能となるように柔軟性を有するシート状材からなる連結材によって連結されているので、冷却対象がなす曲面に沿って全体として自由に湾曲させ、冷却対象に保冷具の冷却対象接触壁面を広く接触させることができる。
【００１４】
また、各保冷剤容器は、それぞれ主要部を、横断面が屈曲部を有する形状に成形されており、かつその冷却対象接触壁面は平面または曲率の小さい曲面とされているので、保冷剤を充填されても、冷却対象接触壁面が曲率の大きい円柱面や球状面となることはないため、従来の袋状体が複数の区画に分割されている保冷具のように、冷却対象との接触が線接触または点接触となってしまい、伝熱面積が小さくなり、冷却効果が阻害されることがないし、冷却対象が人体の場合でも、使用者が痛く感じることがない。
【００１５】
なお、もし保冷剤容器の主要部が、一般によく使用されている練り歯みがき、絵の具、接着剤、医薬品等の半固形状の物質を収容するチューブのように、その横断面が屈曲部を有さない形状に成形されているとすると、保冷剤を充填されたとき、冷却対象接触壁面が曲率の大きい円柱面となってしまい、本願発明の作用効果は得られない。
【００１６】
本発明の一つの態様においては、前記連結材は、複数のポケット部を有しており、これらのポケット部に前記保冷剤容器がそれぞれ収容されるようになっている。この態様によれば、連結材に対して保冷剤容器を必要に応じて容易に着脱できる。
【発明の効果】
【００１７】
本発明の保冷具は、
（イ）冷却対象がなす曲面に沿って全体として自由に湾曲させ、冷却対象に広く接触させることができる、
（ロ）冷却対象との接触が線接触または点接触となってしまい、伝熱面積が小さくなり、冷却効果が阻害されたり、冷却対象が人体の場合、使用者が痛く感じることがない、
等の優れた効果を得られるものである。
【図面の簡単な説明】
【００１８】
【図１】従来の保冷具の一つのタイプを示す断面図である。
【図２】従来の保冷具の別のタイプを示す断面図である。
【図３】本発明の実施例１の保冷具における保冷剤容器を示す斜視図である。
【図４】前記実施例１の保冷具における保冷剤容器を示す平面図である。
【図５】前記実施例１の保冷具における保冷剤容器を示す正面図である。
【図６】前記実施例１の保冷具における保冷剤容器を示す側面図である。
【図７】図４のＶＩＩ−ＶＩＩ線における断面図である。
【図８】図５のＶＩＩＩ−ＶＩＩＩ線における断面図である。
【図９】前記実施例１の保冷具における連結材作成時のシート状材の折り方を示す側面図である。
【図１０】前記実施例１の保冷具における連結材作成時のシート状材の折り方を示す斜視図である。
【図１１】前記実施例１の保冷具における連結材を示す正面図である。
【図１２】前記実施例１の保冷具における連結材を示す斜視図である。
【図１３】前記実施例１の保冷具全体を示す正面図である。
【図１４】図１３のＸＩＶ−ＸＩＶ線における断面図である。
【図１５】図１３のＸＶ−ＸＶ線における断面図である。
【図１６】前記実施例１の保冷具の使用状態の一例を示す正面図である。
【図１７】図１６に対応する断面図である。
【図１８】本発明の実施例２の保冷具における連結材作成時のシート状材の折り方を示す側面図である。
【図１９】前記実施例２の保冷具における連結材を示す正面図である。
【図２０】前記実施例２の保冷具全体を示す正面図である。
【図２１】図２０のＸＸＩ−ＸＸＩ線における断面図である。
【図２２】本発明の実施例３の保冷具全体を示す斜視図である。
【図２３】前記実施例３の保冷具全体を示す正面図である。
【図２４】図２３のＸＸＩＶ−ＸＸＩＶ線における断面図である。
【図２５】本発明の実施例４の保冷具における保冷剤容器を示す斜視図である。
【図２６】前記実施例４の保冷具全体を示す断面図である。
【発明を実施するための形態】
【００１９】
本発明において、保冷剤としては、水そのものも含めて、液状のもの、ゲル状のもの、凍結性のもの、非凍結性のもの等、基本的にはあらゆる種類の保冷剤を使用できる。
【００２０】
保冷剤容器を構成する材料としては、保冷剤を透過しにくく、壊れにくいものであれば、基本的にはあらゆる材料を使用でき、柔らかいものも、硬いものも使用できる。
【００２１】
連結材を構成するシート状材としては、柔軟性を有し、必要な強度を得られるものであれば、基本的にはあらゆるシート状材を使用できる。ただし、伸縮性を有するものが好ましく、水着の素材等として使用されている生地、例えばポリエステル繊維とポリウレタン繊維とを混紡した生地等のように優れた伸縮性を示すものが特に好ましい。
【００２２】
以下、本発明を図面に示す実施例に基づいて説明する。
【実施例１】
【００２３】
図３〜１７は本発明の実施例１を示し、このうち図３〜８は本実施例における保冷剤容器６を示している。本実施例においては、市販されている醤油、ソース、たれ等を入れるためのポリプロピレン（ＰＰ）製の角形タレビンを流用して、保冷剤容器６として用いている。保冷剤容器６の主要部７は、大略直方体の箱状に成形されている。したがって、図８に示されるように、該主要部７の横断面は４つの屈曲部８ａ，８ｂ，８ｃ，８ｄを有している。前記保冷剤容器６の主要部７の外壁面のうちの相対向する２つの広い外壁面が冷却対象に間接に接触されることとなる冷却対象接触壁面９ａ，９ｂとされ（ただし、両方の壁面９ａ，９ｂが同時に冷却対象に接触されるのではなく、いずれの面９ａ，９ｂを冷却対象に接触させてもよいということである）、これらの冷却対象接触壁面９ａ，９ｂはいずれも外側に凸となる曲率の小さい曲面状とされている。
【００２４】
前記保冷剤容器６には出入り口１０（図７参照）が設けられており、この出入り口１０はねじ蓋１１により閉じることができるようになっている。前記保冷剤容器６の内部には、出入り口１０から充填されることにより、保冷剤３が収容されている。本実施例では、保冷剤３として具体的には水を使用している。ただし、水以外の保冷剤３を用いてもよい。
【００２５】
本実施例において連結材１２を構成するシート状材１３は、ポリエステル繊維とポリウレタン繊維を混紡した生地からなり、柔軟性および伸縮性を有している。図９および１０は、本実施例の連結材１２を作成する際のシート状材１３の折り方を示している。広げた状態では矩形状をなしているシート状材１３の一端側と他端側とを同じ側に折り返し（このとき、２つの折り目１４，１５がシート状材１３の両端と平行になるようする）、一方の折り返し面１６の先端付近に他方の折り返し面１７の先端付近が重なるようにする。
【００２６】
次に、図１１および１２に示されるように、折り返し面１６，１７と折り返されていない面１８とを、折り目１４，１５に対して垂直方向、かつ互いに間隔を置いて複数列にて縫い合わせる（図においては、これらの縫い合わせ部１９を網目模様を施して示している）。これにより、折り返し面１６と折り返されていない面１８と縫い合わせ部１９とに囲まれた複数のポケット部２０が１列に並んで形成される（図では６個のポケット部２０が形成されている）。折り返し面１６と１７とは一部重なり合っているので、各ポケット部２０の入口２１（図１５によく示されている）は、常時は、折り返し面１７で覆われた状態となっている。
【００２７】
図１３〜１５は、本実施例の保冷具１全体を示しており、各ポケット部２０内に保冷剤容器６が収容されている。なお、連結材１２を構成するシート状材１３は柔軟性および伸縮性を有しているので、各ポケット部２０の入口２１を覆っている折り返し面１７を開くとともに、入口２１を広げて、入口２１から各ポケット部２０内に保冷剤容器６を挿入することができる（図１２は、一番右のポケット部２０の入口２１を少し開けた状態を示している）。また、各ポケット部２０内に保冷剤容器６が収容された後は、図１５によく示されるように、折り返し面１７が各ポケット部２０の入口２１を覆っているので、意図しないときに保冷剤容器６がポケット部２０から脱落してしまうことはない。
【００２８】
なお、本実施例では、シート状材１３は伸縮性を有しているので、実際には多くの部分においてシート状材１３は保冷剤容器６の外面に密着した状態となるが、図１４および１５では、実際の通りにシート状材１３と保冷剤容器６の外面とを密着した状態で描くと、連結材１２の構成がよく分からなくなってしまうので、シート状材１３と保冷剤容器６の外面との間に少し間隔をあけて描いている。
【００２９】
上記のように各ポケット部２０内に保冷剤容器６が収容されることにより、複数の保冷剤容器６が互いに対して一定範囲内においてあらゆる方向に回動可能なように連結材１２によって連結された状態となる（なお、保冷剤容器６の軸方向と平行な方向を回動軸とする回動方向、すなわち後で説明する図１７のように保冷具１が湾曲されることとなる回動方向において、複数の保冷剤容器６が互いに対して回動可能な範囲が最も大きい）。
【００３０】
この保冷具１は、冷凍庫等において保冷剤容器６内の保冷剤３を凍結した上、保冷剤容器６の冷却対象接触壁面９ａまたは９ｂをその表面を覆っている連結材１２を介して冷却対象に接触させて冷却対象を冷却することができる。なお、保冷剤３の凍結は、保冷剤容器６を連結材１２のポケット部２０に収容する前に行ってもよいし、保冷剤容器６を連結材１２の各ポケット部２０に収容した後に行ってもよい。また、予め予備の保冷剤容器６を冷凍庫で冷凍しておき、使用している保冷剤容器６の保冷剤３が融解して冷却機能を失ったら、予備の保冷剤容器６と交換するようにしてもよい。
【００３１】
図１６および１７は、使用状態の一例として、人間の額に接触させた状態を示している。この保冷具１においては、各保冷剤容器６が互いに対して一定範囲内においてあらゆる方向に回動可能となるように柔軟性を有するシート状材１３からなる連結材１２によって連結されているので、冷却対象２２（図１６および１７では人間の額）がなす曲面に沿って全体として自由に湾曲させ、冷却対象２２に保冷具１の冷却対象接触壁面９ａまたは９ｂを広く接触させることができる（なお、図１７では、各保冷剤容器６の冷却対象接触壁面９ａの側を冷却対象２２に接触させているが、冷却対象接触壁面９ｂの側を冷却対象２２に接触させてもよい）。
【００３２】
また、各保冷剤容器６は、それぞれ主要部７を、その横断面が屈曲部８ａ，８ｂ，８ｃ，８ｄを有する形状に成形されており、かつその冷却対象接触壁面９ａ，９ｂは曲率の小さい曲面とされているので、保冷剤３を充填されても、冷却対象接触壁面９ａ，９ｂが曲率の大きい円柱面や球状面となることはないため、前記従来の袋状体２が複数に分割されている保冷具１のように、冷却対象２２との接触が線接触または点接触となってしまい、伝熱面積が小さくなり、冷却効果が阻害されることはないし、冷却対象２２が人体の場合でも、使用者が痛く感じることがない。
【００３３】
なお、この保冷具１は、人間の額のみならず、人間の頭、首、肩、腕、脚、足、背中等や、人間以外の生体や物体を冷却対象２２とすることができる。
【００３４】
また、本実施例においては、保冷具１を冷却対象２２に直接接触させているが、冷却対象２２が人間であって、直接接触させると冷たすぎるときは、タオル等を介在させたり、保冷具１を別の布等からなる袋に収容した状態で使用したり、保冷具１の連結材１２を構成するシート状材１３として、表面に起毛処理を施したものを使用する等の対策を施してもよい。
【実施例２】
【００３５】
図１８〜２１は、本発明の実施例２を示している。本実施例においては、保冷剤容器６および保冷剤３は実施例１と同じものを使用している。シート状材１３は、素材は実施例１と同じものであるが、ポケット部２１の構成が異なる。
【００３６】
図１８は、本実施例における連結材１２を作成する際のシート状材１３の折り方を示している。実施例１の場合と同様に、広げた状態では矩形状をなしているシート状材１３の一端側と他端側とを同じ側に折り返すが、実施例１の場合とは異なり、一方の折り返し面１６と他方の折り返し面１７とが重ならないで、一方の折り返し面１６の先端と他方の折り返し面１７の先端との間に間隔があくようにする。
【００３７】
次に、図１９に示されるように、折り返し面１６，１７と折り返されていない面１８とを、前記折り目１４，１５に対して垂直方向、かつ互いに間隔を置いて複数列にて縫い合わせる（図においては、これらの縫い合わせ部１９を網目模様を施して示している）。これにより、折り返し面１６および１７と折り返されていない面１８と縫い合わせ部１９とに囲まれた複数のポケット部２０が２列に形成される（図では１列につき６個、合計２列、１２個のポケット部２０が形成されている）。各ポケット部２０の入口２１は各折り返し面１６，１７の先端部に形成されており、一つの列のポケット部２０と他の列のポケット部２０の入口２１とが互いに向き合った状態になっている。
【００３８】
図２０および２１は、本実施例の保冷具１全体を示しており、各ポケット部２０内に保冷剤容器６が収容されている。なお、連結材１２を構成するシート状材１３は柔軟性および伸縮性を有しているので、各ポケット部２０の入口２１から各ポケット部２０内に保冷剤容器６を挿入することができる。また、各ポケット部２０内に保冷剤容器６が収容された後は、一方の列の保冷剤容器６と他方の列の保冷剤容器６とが互いに接触しているので、意図しないときに保冷剤容器６がポケット部２０から脱落することはない。
【００３９】
なお、本実施例でも、シート状材１３は伸縮性を有しているので、実際には多くの部分においてシート状材１３は保冷剤容器６の外面に密着した状態となるが、図２１では、実際の通りにシート状材１３と保冷剤容器６の外面とを密着した状態で描くと、連結材１２の構成がよく分からなくなってしまうので、シート状材１３と保冷剤容器６の外面との間に少し間隔をあけて描いている。
【００４０】
本実施例においても、実施例１の場合と同様の作用効果を得ることができる。また、保冷剤容器６を２列に配置することができるので、より多くの保冷剤容器６、したがってより多量の保冷剤３を、より広い面積で冷却対象２２に接触させることができる。
【実施例３】
【００４１】
図２２〜２４は、本発明による保冷具１の実施例３を示している。本実施例においても、保冷剤容器６および保冷剤３は実施例１と同じものを使用している。
【００４２】
本実施例においては、連結材１２は、それぞれポリプロピレン（ＰＰ）フィルムからなる２枚の帯状のシート状材１３により構成されている。前記２枚のシート状材１３は、それぞれ片面に接着剤を塗布されており、複数の保冷剤容器６を間に挟み込んだ状態で互いに接着されている。保冷剤容器６間には間隔が設けられており、保冷剤容器６が存在する部分では保冷剤容器６の外面に該容器６を半周ずつ囲むようにして各シート状材１３が接着され、保冷剤容器６間の部分では２枚のシート状材１３同士が互いに直接接着されている。
【００４３】
なお、本実施例では、実際には、保冷剤容器６が存在する部分ではシート状材１３と保冷剤容器６とが、保冷剤容器６間ではシート状材１３同士がそれぞれ密着した状態となっているが、図２４では、実際の通りに密着した状態で描くと、連結材１２の構成がよく分からなくなってしまうので、シート状材１３と保冷剤容器６、シート状材１３とシート状材１３との間に少し間隔をあけて描いている。
【００４４】
本実施例においては、上記のように接着がなされていることにより、複数の保冷剤容器６が互いに対して一定範囲内においてあらゆる方向に回動可能なように連結材１２によって連結された状態となっている。
【００４５】
本実施例においても、実施例１の場合と同様の作用効果を得ることができる。ただし、保冷剤容器６を連結材１２から取り外すことはできない。
【実施例４】
【００４６】
図２５および２６は、本発明による保冷具１の実施例４を示している。本実施例においては、保冷剤容器６の主要部７は、１つの平面状の冷却対象接触壁面９ｃと１つの半円筒状の壁面２３とを有しており、該主要部７の横断面において、冷却対象接触壁面９ｃと半円筒状の壁面２３との間には２つの屈曲部８ｅ，８ｆが形成されている。前記保冷剤容器６には出入り口(図示せず)が設けられており、この出入り口は、保冷剤３としてポリビニルアルコール（ＰＶＡ）水溶液が保冷剤容器６内に収容された後、蓋２４により固定的に閉じられている。保冷剤容器６は、前記各実施例の場合と同様に、ポリプロピレン（ＰＰ）からなる。
【００４７】
実施例３の場合と同様に、それぞれ片面に接着剤を塗布された２枚の帯状のシート状材１３（実施例３と同じ材料のもの）が、複数の保冷剤容器６を間に挟み込んだ状態で互いに接着されている。
【００４８】
なお、本実施例においても、実際には、保冷剤容器６が存在する部分ではシート状材１３と保冷剤容器６とが、保冷剤容器６間ではシート状材１３同士がそれぞれ密着した状態となっているが、図２６では、実際の通りに密着した状態で描くと、連結材１２の構成がよく分からなくなってしまうので、シート状材１３と保冷剤容器６、シート状材１３とシート状材１３との間に少し間隔をあけて描いている。
【００４９】
本実施例においても、実施例１の場合と同様の作用効果を得ることができる。ただし、保冷剤容器６を連結材１２から取り外すことはできない。
【００５０】
なお、本発明における保冷剤容器の主要部の横断面形状は、各実施例の形状に限られることはなく、屈曲部を有する形状とされ、かつ冷却対象接触壁面が平面状または曲率の小さい曲面状とされていれば、他の形状であってもよい。
【００５１】
また前記実施例においては、保冷剤容器６の冷却対象接触壁面９ａ，９ｂ，９ｃの全面が連結材１２によって覆われており、保冷剤容器６が連結材１２を介して間接的に冷却対象２２に接触されるようになっているが、本発明においては、保冷剤容器の冷却対象接触壁面の全面または一部が連結材によって覆われないようにし、冷却対象接触壁面の全面または一部が冷却対象に直接接触されるようにしてもよい。
【００５２】
また、本発明においては、連結材に面ファスナー等の係止手段を設け、冷却対象に巻き付けて装着できるようにしたり、連結材を最初から輪状としておき、かつその一部をゴム弾性により伸縮できる部分としておく等により、冷却対象２２に装着しやすくしてもよい。
【産業上の利用可能性】
【００５３】
以上のように本発明による保冷具は、冷凍庫等において冷却された上、人体やその他の生体、物体等を冷却するために用いられる保冷具として有用である。
【符号の説明】
【００５４】
１    保冷具
２    袋状体
３    保冷剤
６    保冷剤容器
７    保冷剤容器の主要部
８ａ〜８ｆ  保冷剤容器の主要部の横断面の屈曲部
９ａ〜９ｃ  冷却対象接触壁面
１２    連結材
１３    シート状材
２０    ポケット部
２１    ポケット部の入口
２２    冷却対象
【図１】
2015009107.tif 000003
【図２】
2015009107.tif 000004
【図３】
2015009107.tif 000005
【図４】
2015009107.tif 000006
【図５】
2015009107.tif 000007
【図６】
2015009107.tif 000008
【図７】
2015009107.tif 000009
【図８】
2015009107.tif 000010
【図９】
2015009107.tif 000011
【図１０】
2015009107.tif 000012
【図１１】
2015009107.tif 000013
【図１２】
2015009107.tif 000014
【図１３】
2015009107.tif 000015
【図１４】
2015009107.tif 000016
【図１５】
2015009107.tif 000017
【図１６】
2015009107.tif 000018
【図１７】
2015009107.tif 000019
【図１８】
2015009107.tif 000020
【図１９】
2015009107.tif 000021
【図２０】
2015009107.tif 000022
【図２１】
2015009107.tif 000023
【図２２】
2015009107.tif 000024
【図２３】
2015009107.tif 000025
【図２４】
2015009107.tif 000026
【図２５】
2015009107.tif 000027
【図２６】
2015009107.tif 000028